(57)【特許請求の範囲】
【請求項１】
自動アクセスのタイミングを監視し、手動アクセス受付けを上記自動アクセスが動作していない場合は直ちに受付け、また手動アクセスを上記自動アクセスの動作中に受付けると、該動作中の自動アクセス動作が終了まで上記手動アクセスの受付けを遅らせるアクセス遅延回路と、
上記自動アクセスの指示と、上記手動アクセスの指示とに基づいてアクセス対象にアクセスするセレクタとを備えたことを特徴とする自動／手動併用アクセス制御回路。
【発明の詳細な説明】
【０００１】
【発明の属する技術分野】
本発明は、海底ケーブルシステムなどにおいて、アクセス対象に対して一定周期毎に一定期間アクセス動作を指示する自動アクセス手段と、不定期でアクセス動作を指示する手動アクセス手段の複数のアクセス手段による監視制御に関するもので、自動アクセス手段による主系統監視制御に影響を与えず、かつ遅延の少ない手動アクセスを行う技術に関するものである。
【０００２】
【従来の技術】
従来、複数のアクセス手段からの監視制御指令に基づいて動作するアクセス制御回路として、図４に示す回路がある。即ち、自動アクセス部１と手動アクセス部２ｂと、これら複数のアクセス部からのアクセスを切換えるセレクタ６と、セレクタ６およびタイマ１０１を制御するセレクタ制御部３ｂと、両アクセス部によるアクセスが同時に発生したときには手動アクセス部２ｂのアクセスをリトライするまでの待ち時間を規定するタイマ１０１とから構成される。
【０００３】
本回路において、自動アクセス部１と手動アクセス部２ｂは、セレクタ制御部３ｂに対して、各々のアクセス状態信号８、８ｂを出力し、各々のアクセスが異なるタイミングで実施された時、セレクタ制御部３ｂは、各アクセス部の信号を選択するようにセレクタ６を制御する。
【０００４】
また、自動アクセス部１のアクセス期間中に手動アクセス部２ｂによるアクセスが実施された時、セレクタ制御部３ｂは、自動アクセス部１の信号を選択するようにセレクタ６を制御し、タイマ１０１に対して待ち時間計測開始信号１０２を指示する。
タイマ１０１は、セレクタ制御部３ｂからの指示に基づきあらかじめ定められた待ち時間を計測して、待ち時間経過後に手動アクセス部２ｂに対して、再アクセス指示信号１０３を出力する。
【０００５】
この従来方式では、上記の如く両アクセス部からのアクセスが同時に実施されたとき、自動アクセス部１からのアクセスを優先して実施し、手動アクセス部２ｂはタイマ１０１によって計測される待ち時間経過後に再アクセスを行う。
【０００６】
【発明が解決しようとする課題】
上記の如く、従来のアクセス制御回路では、両アクセス部からのアクセスが同時に実施されたときに、手動アクセス部２ｂからのアクセスは常に一定時間待ってからリトライされるため、アクセス対象７に対してアクセスが実施されていないにも関わらず、手動アクセス部２ｂからのアクセスが実施できないという課題がある。
【０００７】
本発明は上記の課題を解決するためになされたもので、簡便な方法で自動アクセス部による主系統監視制御に影響を与えることなく、主系統監視制御とは独立したアクセス部からの監視制御を可能とし、遅延を少なくすることを目的とする。
【０００８】
【課題を解決するための手段】
この発明に係る自動／手動併用アクセス制御回路は、自動アクセスのタイミングを監視し、手動アクセス受付けを自動アクセスが動作していない場合は直ちに受付け、また手動アクセスを自動アクセスの動作中に受付けると、動作中の自動アクセス動作が終了まで上記手動アクセスの受付けを遅らせるアクセス遅延回路と、
上記自動アクセスの指示と、上記手動アクセスの指示とに基づいてアクセス対象にアクセスするセレクタとを備えた。
【０００９】
【発明の実施の形態】
実施の形態１．
以下、図に基づいて本発明の装置の構成と動作を説明する。
図１は、本発明の実施の形態１におけるシステム構成図である。図において、自動アクセス部１は、アクセス対象７に対して一定周期毎に一定期間アクセスを行うとともに、アクセス期間中にアサートするアクセス状態信号８をセレクタ制御部３および遅延制御部４に対して出力する。
手動アクセス部２は、アクセス対象７に対して不定期にアクセスを行うとともに、アクセス期間中にアサートするアクセス状態信号８ｂを遅延制御部４に対して出力する。
【００１０】
セレクタ制御部３は、自動アクセス部１から出力されるアクセス状態信号８を入力とし、本信号がアサートされている間は、自動アクセス部１からの信号を選択し、アサートされていない間は、アクセス遅延部５からの信号を選択するセレクタ制御信号１０をセレクタ６に出力する。
遅延制御部４は、アクセス状態信号８およびアクセス状態信号８ｂを入力として、アクセス状態信号８アサート中に、アクセス状態信号８ｂがアサートされても、アクセス開始指示信号９をアサートせず、アクセス状態信号８のアサートが解除されたときに、アクセス開始指示信号９をアサートする。また、アクセス状態信号８がアサートされていない時に、アクセス状態信号８ｂがアサートされた時には、直ちにアクセス開始指示信号９をアサートする。
【００１１】
アクセス遅延部５は、遅延制御部４から出力されるアクセス開始指示信号９がアサートされるまで、手動アクセス部２によるアクセス開始を遅延させる。
セレクタ６は、セレクタ制御部３からのセレクタ制御信号１０に基づき自動アクセス部１からのアクセスと手動アクセス部２からのアクセスを自動アクセス部からのアクセスを優先する形で切換える。
【００１２】
図２は、自動アクセス部１によるアクセス期間外に、手動アクセス部２によるアクセスが発生した場合の動作を示す。以下に、図２の詳細について説明する。自動アクセス部１によるアクセス開始点１１からアクセス終了点１２までの間、アクセス状態信号８は”Ｌ”にアサートされる。また、セレクタ制御部３からはセレクタ６に対して、自動アクセス部１によるアクセスを選択するセレクタ制御信号１０（図２における論理は”Ｌ”）を出力する。
アクセス開始点１３で手動アクセス部２によるアクセスが実施されると、アクセス状態信号８ｂは”Ｌ”になり、遅延制御部４は、直ちにアクセス開始指示信号９を”Ｌ”にアサートする。アクセス遅延部５は、遅延制御部４からのアクセス開始指示信号９によって直ちに、手動アクセス部２によるアクセスを開始する。
【００１３】
図３は、自動アクセス部１によるアクセス期間内に、手動アクセス部２によるアクセスが発生した場合の動作を示す。以下に、図３の詳細について説明する。自動アクセス部１によるアクセス開始点１１からアクセス終了点１２までの間、アクセス状態信号８は”Ｌ”にアサートされる。また、セレクタ制御部３からはセレクタ６に対して、自動アクセス部１によるアクセスを選択するセレクタ制御信号１０（図２では論理は”Ｌ”とする）を出力する。
【００１４】
アクセス開始点１３で手動アクセス部２によるアクセスが実施されると、アクセス状態信号８ｂは”Ｌ”にアサートされる。遅延制御部４は、アクセス状態信号８が”Ｌ”にアサートされている間は、アクセス開始指示信号９を”Ｌ”としない。そして、アクセス状態信号８のアサート解除後、直ちにアクセス開始指示信号９を”Ｌ”にする。アクセス遅延部５は、遅延制御部４からのアクセス開始指示信号によって直ちに、手動アクセス部２によるアクセスを開始する。
【００１５】
なお、上記説明中の各信号の論理は一例であり、これに特定するものではない。
以上の構成により、自動アクセス部によるアクセス期間中に、手動アクセス部によるアクセスが発生した場合でも、自動アクセス部によるアクセスを中断することなく、また、自動アクセス部によるアクセス状態が終了すると直ちに手動アクセスを実施するため、手動アクセスの実施遅延を少なくすることが可能となる。
【００１６】
【発明の効果】
本発明によれば、以上のように自動アクセスがある場合にはその自動アクセスが終わって後、手動アクセスが動作するようにしたので、自動アクセス部による主系統監視制御に影響を与えず、遅延を少なくした手動アクセスからの監視制御が可能となる効果がある。
【図面の簡単な説明】
【図１】  本発明の実施の形態１における自動／手動併用アクセス制御回路の構成図である。
【図２】  実施の形態１における両アクセスに基づく動作を説明する図である。
【図３】  実施の形態１における両アクセスに基づく動作を説明する図である。
【図４】  従来のアクセス制御回路の構成図である。
【符号の説明】
１  自動アクセス部、２，２ｂ  手動アクセス部、３  セレクタ制御部、４  遅延制御部、５  アクセス遅延部、６  セレクタ、７  アクセス対象、８，８ｂアクセス状態信号、９  アクセス開始指示信号、１０  セレクタ制御信号、１１  自動アクセス部１によるアクセス開始点、１２  自動アクセス部１によるアクセス終了点、１３  手動アクセス部２によるアクセス開始点、１０１  タイマ、１０２  待ち時間計測開始信号、１０３  再アクセス指示信号。
【図１】
0003699008.tif 000002
【図２】
0003699008.tif 000003
【図３】
0003699008.tif 000004
【図４】
0003699008.tif 000005